(57)【特許請求の範囲】
【請求項１】
壁が主にパネル状の部材から構成される建築物を設計するための設計支援装置であって、
建築物の壁が設置され、かつ壁パネルが割り付けられる領域を示す壁領域の形状及び配置と、上記壁領域内の窓、出入口等の開口部が配置される開口領域の形状及び配置とを記憶した設計データ記憶手段と、
上記設計データ記憶手段の上記開口領域の左右の壁領域内に所定幅の開口調整領域を設定する調整領域生成手段と、
上記開口領域及び開口調整領域の上に、これら開口領域及び開口調整領域上を一体に覆うように壁領域内に小壁領域を設定する小壁領域生成手段とを具備してなり、
上記開口領域上の小壁領域に所定の強度を有する一体の小壁部材を配置し、上記開口調整領域に上記小壁部材の端部を支持する支持部材を配置し、
上記設計データ記憶手段における壁領域は、基準単位長さ毎に縦横に引かれたグリッド線に沿って配置されるとともに、上記壁領域に割り付けられる壁パネル等の部材は、壁領域の交点部に割り付けられる部材を除いて、その両側縁が上記壁領域に直交するグリッド線上に配置可能な形状に形成され、かつ、上記調整領域生成手段に設定された開口調整領域の上記開口領域の反対側の側縁が、上記壁領域に直交する上記グリッド線上に配置されていない場合に、上記開口調整領域の水平方向に沿った幅を延長して、上記開口領域の上記側縁を上記壁領域に直交する上記グリッド線上に配置する調整領域調整手段を有することを特徴とする設計支援装置。
【発明の詳細な説明】
【０００１】
【産業上の利用分野】
本発明は、壁が壁パネルから構成される住宅を設計するための設計支援装置に関する。
【０００２】
【従来の技術】
近年、住宅の設計においても設計支援装置としてのＣＡＤ（computer aided design） システムが用いられるようになった。
従来の住宅設計用のＣＡＤシステムにおいては、オペレータの指示のもとに、住宅の設計をアシストすることができ、住宅の設計の省力化を図ることができた。特に、設計された住宅を様々な図面として出力することができ、図面の製作等において、大きく省力化を図ることができた。
【０００３】
また、住宅の設計においては、予め、慣習や人間の身長等に基づいた基本単位長さを設定するとともに、該基本単位長さの整数分の一毎に縦横に引かれたグリッド線に沿って壁の配置等を決めることが一般に行われている。
上記グリッド線に沿った設計を行うことにより、ＣＡＤシステムにおける設計を省力化することができる。
【０００４】
また、住宅には、例えば、床、壁、屋根等が床パネルや壁パネルや屋根パネル等のパネルから構成されるパネル工法によって構築されるものがある。
上記パネル工法においては、柱や梁があまり用いられずに、主に上記各パネルにより住宅の強度を保つようになっている。
従って、上記パネル工法からなる住宅を設計する際には、住宅の強度を保つように壁等の配置を決める必要があるとともに、配置された壁に壁パネルを割り付けていく必要がある。
【０００５】
そして、上記グリッド線に沿った設計と、上記基本単位長さの整数分の１の長さに基づいた形状のパネルを用いることとによりＣＡＤシステムにおけるパネルの割り付けを省力化することができる。
【０００６】
【発明が解決しようとする課題】
ところで、住宅の設計においては、住宅の強度を保つために柱や梁や耐力壁等の躯体の強度を設計時に確保する必要があり、これら躯体の強度や配置を設定する必要がある。
【０００７】
上記パネル工法においては、上述のように主に上記各パネルにより住宅の強度を保つようになっている。
従って、上記パネル工法からなる住宅を設計する際には、住宅の強度を保つように壁等の配置を決める必要があるとともに、配置された壁に壁パネルを割り付けていく必要がある。
【０００８】
しかし、従来の住宅用のＣＡＤシステムにおいては、必ずしもパネル工法に対応したものではなく、ＣＡＤシステム上におけるパネルの割り付けを可能としても、単に、設計された壁に所定の形状の壁パネルを割り付けただけでは、所定の強度を有する壁パネルの組み合わせから得られる最も高い強度を得られるとは限らなかった。
【０００９】
また、単に、壁に所定の形状の壁パネルを割り付けただけでは、施工性の面で問題がでる可能性があり、最悪の場合には、建築現場で壁パネルの割り付けを変更しなければ、実際に施工できない可能性もある。
また、上述のようにパネル工法においては、基本的に壁が上部構造物の荷重を受けることになるが、壁には、窓、出入口等の荷重を受けることができない開口部が設けられることになる。
【００１０】
しかし、開口部上においても上部構造物が存在するので、開口部の左右両側の壁パネルを支柱として、開口部上に梁として作用する壁パネル（以下、小壁パネルと称する）もしくは梁状の部材（以下、マグサと称する）を配置する必要があり、開口部のスパンや、開口部の設けられた壁の必要強度等に基づいて、上記小壁パネルや、マグサを配置する必要があり、上述のように単に、設計された壁に所定の形状の壁パネルを割り付けただけでは、開口部分での強度を確保することができない。
【００１１】
本発明は、上記事情に鑑みてなされたものであり、パネル工法により構築される住宅を設計するに際し、開口部の配置を考慮して、壁パネルを割り付けるべき壁の領域を設定することができる設計支援装置を提供することを目的とするものである。
【００１２】
【課題を解決するための手段】
本発明の請求項１記載の設計支援装置は、図１に示すように、壁が主にパネル状の部材から構成される建築物を設計するための設計支援装置であって、建築物の壁が設置され、かつ壁パネルが割り付けられる領域を示す壁領域の形状及び配置と、上記壁領域上の窓、出入口等の開口部が配置される開口領域の形状及び配置とを記憶した設計データ記憶手段ａと、上記設計データ記憶手段ａの上記開口領域の左右の壁領域内に所定幅の開口調整領域を設定する調整領域生成手段ｂと、上記開口領域及び開口調整領域の上に、これら開口領域及び開口調整領域上を一体に覆うように壁領域内に小壁領域を設定する小壁領域生成手段ｃとを具備してなり、上記開口領域上の小壁領域に所定の強度を有する一体の小壁部材を配置し、上記開口調整領域に上記小壁部材の端部を支持する支持部材を配置することを上記課題の解決手段とした。
【００１３】
また、上記設計データ記憶手段における壁領域が、基準単位長さ毎に縦横に引かれたグリッド線に沿って配置されるとともに、上記壁領域に割り付けられる壁パネル等の部材は、壁領域の交点部に割り付けられる部材を除いて、その両側縁が上記壁領域に直交するグリッド線上に配置可能な形状に形成され、かつ、上記調整領域生成手段ｃに設定された開口調整領域の上記開口領域の反対側の側縁が、上記壁領域に直交する上記グリッド線上に配置されていない場合に、上記開口調整領域の水平方向に沿った幅を延長して、上記開口領域の上記側縁を上記壁領域に直交する上記グリッド線上に配置する調整領域調整手段ｄを有することを上記課題の解決手段とした。
【００１４】
【作用】
上記請求項１記載の構成によれば、建築物の壁が設置され、かつ壁パネルが割り付けられる領域を示す壁領域の形状及び配置が予め決められて設計データ記憶手段ａに記憶されている。また、壁に配置される窓、出入口等の開口部を示す開口領域の形状及び配置が予め設計データ記憶手段ａに記憶されている。
【００１５】
そして、調整領域生成手段ｂが、上記設計データ記憶手段ａのデータを用いて、上記開口領域の左右の壁領域内に所定幅の開口調整領域を設定する。
また、小壁領域生成手段ｃが、上記開口領域とその左右の調整領域を一体に覆うように、壁領域内に小壁領域を設定する。
【００１６】
そして、上記開口領域は、そのまま開口部とされるか、窓サッシ、ドアサッシ等の建具が填め込まれる。また、上記小壁領域には、上記開口領域とその左右の調整領域を一体に覆う小壁パネル（小壁部材）が配置される。また、開口調整領域には、上記小壁パネルの両端部を支持する支持部材が配置されることになる。
【００１７】
上記小壁パネルは、その両端部を隣接する壁パネルに接合させることで、梁として機能することが可能であるが、上述のように小壁パネルを開口領域より開口調整領域分だけ、左右に延出させ、小壁パネルの延出された端部を開口調整領域に配置される支持部材に下から支持させるようにすることで、その強度を高めることができ、比較的大きな外力がかかる外壁においては、好ましいパネルの割り付け配置となる。
【００１８】
すなわち、上記設計支援装置によれば、壁の開口部周囲において、高い強度を有する壁パネルの割り付けが容易にできるように、壁領域内に各部材を配置する領域を自動的に設定することができる。
【００１９】
また、上記設計データ記憶手段ａにおける壁領域が、基準単位毎に縦横に引かれたグリッド線に沿って配置されるとともに、上記壁領域に割り付けられる壁パネル等の部材は、壁領域の交点部に割り付けられる部材を除いて、その両側縁が上記壁領域に直交するグリッド線上に配置される形状に形成されている。
【００２０】
すなわち、上記グリッド線に基づいて壁の配置を決めれば、上記グリッド線の間隔に基づいて形成された部材を容易に割り付けることができるようになっている。
なお、壁領域の交点部においては、壁の部材の取り合いに勝ち負けが生じ、グリッド線から壁の厚みに基づく長さだけずれる場合がある。
【００２１】
ところで、上記開口領域は、開口領域内に窓サッシ、ドアサッシ等の建具を設置する場合には、これら建具の大きさに対応して設定されているので、必ずしも、上記グリッド線（上記基準単位長さ）に基づいた大きさとなっていない。
従って、開口領域の左右に所定幅の調整領域を設定した場合に、開口領域の左右の調整領域のそれぞれの外側の側縁が壁領域に直交するグリッド線上に配置されるとは限らない。
【００２２】
そこで、上記調整領域調整手段ｄが、開口調整領域の幅を延長して開口調整領域の外側の側縁を上記壁領域に直交する上記グリッド線上に配置するようになっている。
上述のようにすることで、開口領域と該開口領域の左右両側の開口調整領域とを合わせた領域の配置が、上記壁領域に直交する二つのグリッド線の間となる（上記グリッド線間の距離は上記基準単位長さの整数倍）。また、開口領域と該開口領域の左右両側の開口調整領域との上に配置される小壁領域も上記二つのグリッド線の間に納まることになる。
【００２３】
従って、これら開口領域と開口調整領域と小壁領域との左右両側に壁パネルを配置する場合には、壁パネルの側縁を壁領域に直交するグリッド線上に配置することができ、上述のように両側縁が上記壁領域に直交するグリッド線上に配置することが可能な形状の壁パネルを使用することができる。また、小壁に配置される小壁パネルも同様に両側縁が上記壁領域に直交するグリッド線上に配置されることになる。
【００２４】
従って、開口部の大きさ（上記建具の大きさ）によって、異なった幅の壁パネルや小壁パネルを必要とせず、使用される壁パネルや小壁パネルは、基準単位長さの整数倍の長さのもので良い。
なお、上記「課題を解決するための手段」及び「作用」の欄においては、図１の符号を参照して説明したが、本発明が図１によって限定されるものではない。
【００２５】
【実施例】
以下に、本発明の一実施例の図面を参照して説明する。
なお、この実施例の設計支援装置は、床、壁、屋根等がパネルから構築される住宅の設計に用いられるものである。
また、上記パネルは、木製の芯材を矩形枠状に組んで、枠体を形成し、該枠体の一面に面材を貼設したものである。
【００２６】
また、上記設計支援装置は、住宅の間取りや各種建具や各種仕上部材等の配置や屋根の形状等（住宅の意匠）を入力するための意匠入力機能と、上記意匠において入力された床、壁、屋根等にパネルを配置するとともに、その他の躯体となる部材や該部材及び上記パネルに付随する部材を配置し、かつ、住宅の必要強度をチェックする構造決定機能と、上記意匠入力及び構造決定において割り付けられた部材に基づいて、設計される住宅の見積りを求める積算機能とを有するものである。
【００２７】
そして、本実施例の設計支援装置は、図２に示すように、ＣＡＤ システムとしていわゆる一般的なコンピュータシステムとしてのシステム構成を有するものであり、図示しないＣＰＵ（central processing unit）、ＲＡＭ（random access memory）、ＲＯＭ（read only memory）等から構成される演算処理装置（コンピュータ本体）１と、ハードディスクドライブ等からなる記憶装置２と、キーボード及びマウス、タブレット、デジタイザーなどのポインティングデバイスからなる入力装置３と、ＣＲＴディスプレイ等のディスプレイからなる表示装置４と、プリンタやプロッター等からなるハードコピーの出力装置５とを有するものである。
【００２８】
上記記憶装置２には、設計支援装置で用いられる各種プログラムや、該プログラムで用いられる各種データが記憶されている。
上記各種プログラムは、基本的に、周知のＣＡＤシステムとしてのものであり、設計支援装置上での住宅の設計を行うためのものである。
また、上記各種データとしては、上記設計支援装置上での住宅の設計に際して、住宅に割り付けられる各種部材のデータであり、例えば、各種部材の形状や、価格等の様々なデータが記憶されている。
【００２９】
また、記憶装置２には、上記意匠、構造、積算等の各段階において行われた設計の操作により生じた設計のデータが記憶されている。
さらに、この実施例においては、上記意匠機能において、間取りを決定するに際して、設計すべき住宅の部屋の領域（居間、食堂、台所、トイレ、バス、居室、収納、その他基本的に壁で囲まれる領域が含まれる）が入力されるとともに、上記部屋の外周線が壁線１０（図３に図示）とされ、また、壁線１０上には、窓、出入口、通路等の開口部が配置され、該開口部を含む壁線１０の配置が記憶されている。
【００３０】
また、この実施例においては、図３に示すように、上記構造機能において、予め設定されたロジックにより、壁線１０を、耐力壁線１０ａ、支持壁線１０ｂ、間仕切り壁線１０ｃ等に種類分けするようになっており、上記壁線１０の配置には、上記開口部１１や壁線１０の種類が記憶されている。
【００３１】
ここで、上記壁線１０の種類について説明する。
壁線１０は、該壁線１０上に配置される壁の構造的分類に基づいて、耐力壁線１０ａ、支持壁線１０ｂ、間仕切り壁線１０ｃ等に分類される。
上記耐力壁線１０ａ上には、基本的に水平荷重及び垂直荷重を支持する耐力壁が配置される。なお、耐力壁は、耐力壁線１０ａ上の全ての部分に配置されるものではない。例えば、耐力壁線１０ａ上に窓、出入口、通路等のような開口部が配置される場合には、該開口部の部分が耐力壁とされることはない。
【００３２】
また、上記支持壁線１０ｂ上には、基本的に垂直荷重を支持する支持壁が配置される。また、耐力壁線１０ａの場合と同様に、支持壁線１０ｂ上の全ての部分に支持壁が配置されるとは限らない。
間仕切り壁線１０ｃ上には、特に荷重を支持しない間仕切り壁が配置される。
また、部屋の領域の外周となる壁線１０以外に、以下に説明する場合には、図４に示す直上壁線１０ｄが作成され、該直上壁線１０ｄも、上述の壁線１０の一種として扱う。
【００３３】
直上壁線１０ｄは、例えば、二階の壁線配置と一階の壁線配置との間取りが異なり、二階の耐力壁線１０ａもしくは支持壁線１０ｂの下の一階部分に壁線１０が配置されていない場合に、一階に上記二階の耐力壁線１０ａもしくは支持壁線１０ｂに沿って配置されるものである。
【００３４】
なお、上記直上壁線１０ｄ部分には、通常の壁線１０が配置されないので、この直上壁線１０ｄにより部屋が区切られることはないが、該直上壁線１０ｄの天井裏部分には、梁、もしくはマグサ（パネルからなる梁状の部材）が配置され、直上の耐力壁線１０ａもしくは支持壁線１０ｂの荷重を受けるようになっている。そして、この部分は、後述するように全開口領域１１ａ（図１８に図示）とされる。
【００３５】
なお、これらの壁線の配置においては、１ｍ前後の基準単位長さ（以下、１Ｍ（モジュール）と称する）の１／４の長さ毎に縦横に引かれたグリッド線上に各壁線を配置するようになっている。
また、これら壁線上に配置される壁パネルは、壁線の後述する交点部分に配置される壁パネルを除いて、上記１Ｍの１／４長さの整数倍の水平方向に沿った幅を有するものとされている。
【００３６】
なお、例外的に、壁線がグリッド線上に配置されない場合もあり、また、壁パネルや壁パネルに代わる部材として、水平方向の長さが上記１／４Ｍの整数倍とならない部材が用いられる場合もある。
また、上述のように１Ｍの１／４が基本的に最低単位として扱われるので（例外的に１／８を最低単位とする場合もある）、実質的には、１Ｍの１／４が基準単位長さとなる。
【００３７】
また、これらの壁線１０は、端点、Ｌ字状、Ｔ字状、十字状の交点において分割され、それぞれを別個の壁線１０とされる。
また、上記交点で交差する各壁線１０は、所定の壁の厚みを有するものとして、上記各端点及び各交点での壁同士の取り合いの勝ち負けが設定され、交点における壁の端面の位置、すなわち分割された各壁線１０の端点が決定されている。
【００３８】
また、上記耐力壁線１０ａもしくは支持壁線１０ｂ上の壁は、その上部構造物となる床や屋根を支持する壁であり、その上端部が床や屋根に接合された状態となっている必要があり、上記壁の上端の高さが上記床や屋根に規制されることになる。
【００３９】
また、間仕切り壁線１０ｃ上の間仕切り壁においては、上部構造物を支持しないので、その上端が上部構造物に接する必要がない。従って間仕切り壁の上端部は、上部構造物より下ならば任意に決めることができるが、この実施例では、上部構造物の下端を越えない所定の高さに設定されるようになっている。
【００４０】
そして、上述のような規制に基づいて各壁の高さが予め設定され、さらに、上記壁線１０に沿うとともに上記高さを有し、壁が配置される領域として壁領域１２（図４等に図示）が設定され、これら壁領域の形状及び配置が、上記記憶装置２に、設計データファイル２ａとして記憶されている。
【００４１】
そして、上記記憶装置２に、設計データファイル２ａのデータとして記憶される壁領域１２は、上記壁の所定の厚みと、上述の高さと、上記壁線１０の両端点間の長さとを有する立体としての形状を有するものである。
また、上記記憶装置２には、上記意匠機能において割り付けられた窓、出入口等の壁領域１２に設けられる開口部を示す上記開口領域１１の形状及び配置が同じく設計データファイル２ａとして記憶されている。
また、上述のように壁領域１２及び開口領域１１のデータが登録された設計データファイル２ａは、一つの住宅に対して一つのファイルが作成されるようになっている。
【００４２】
上記演算処理装置１は、周知のＣＡＤ システムとしての機能を有するとともに、この実施例においては、図４及び図５に示すように、上記記憶装置２に記憶された壁領域１２と開口領域１１との形状及び配置に基づき、壁領域１２において、開口領域１１の左右に開口調整領域１３をそれぞれ設定し、これら開口領域１１と開口調整領域１３、１３とをあわせた領域の上に小壁領域１４を設定し、また、上記開口領域１１と開口調整領域１３とをあわせた領域の下に腰壁領域１５を設定する機能を有する。
【００４３】
また、演算処理装置１は、上記開口領域１１と開口調整領域１３、１３と小壁領域１４と腰壁領域１５とを合わせた領域の左右両側縁の位置が、上記壁領域１２に直交するグリッド線の位置と一致しない場合には、上記開口調整領域１３、１３、小壁領域１４、腰壁領域１５の領域幅を左右に延長して上記開口領域１１と開口調整領域１３、１３と小壁領域１４と腰壁領域１５とを合わせた領域の左右両側縁の位置を上記壁領域１２に直交するグリッド線の位置と一致させる機能を有する。
なお、図４の壁領域１２は、一般的な矩形状の壁領域１２を示し、図５の壁領域は、屋根の妻面に沿った屋根裏面に接する上辺が斜辺となった壁領域１２を示すものである。
【００４４】
次に、以上のような構成の設計支援装置における壁領域１２内の分割領域生成方法を説明する。
なお、この実施例の設計支援装置による壁領域１２内の分割領域生成方法は、上述のように壁線１０の交点で分割されるとともに、取り合いの勝ち負けにより交点における端部の位置が決められ、かつ、高さが決められた壁領域１２が設定され、かつ、壁領域１２内に開口領域１１が設定され、これら設定されたデータが設計データファイル２ａに記憶された状態で行われるものである。そして、壁パネルの施工性の向上及び壁の強度の確保を図りながら、壁領域１２に壁パネルを割り付けられるように、壁領域１２内にさらに各種分割領域を生成するものである。
【００４５】
そして、上記壁領域内の分割領域生成方法は、図６のフローチャートに示すようにして行われる。
すなわち、壁領域１２上辺の形状に基づく壁領域分割処理（ステップＳ１）、直上壁線１０ｄ上の壁領域１２へのマグサ配置位置生成処理（ステップＳ２）、妻壁の壁領域１２対しての妻壁補強材位置生成処理（ステップＳ３）、上記妻壁の壁領域１２における妻壁分割領域生成処理（ステップＳ４）、隣接する妻壁の壁領域１２における妻壁補強材位置合成処理（ステップＳ５）、各壁領域１２における開口領域認識処理（ステップＳ６）、各壁領域１２内の開口領域１１周囲への開口調整領域生成処理（ステップＳ７）、生成された開口調整領域１３に対しての開口調整領域調整処理（ステップＳ８）、各壁領域１２内の各開口領域１１周囲への小壁、腰壁領域生成処理（ステップＳ９）、生成された小壁領域１４に対する小壁領域合成処理（ステップＳ１０）、生成された腰壁領域１５に対する腰壁領域合成処理（ステップＳ１１）、生成された小壁領域１４に対する小壁領域延長処理（ステップＳ１２）が順次行われる。
【００４６】
以下に、各処理について詳細に説明する。
まず、図７に示すフローチャートを参照して、形状による壁領域分割処理について説明する。
なお、壁領域１２は、各階毎に上下に分割されており、各階の床領域（図示略）の上面から上階の床領域もしくは屋根領域（図示略）の下面までとされている。
【００４７】
そして、屋根領域の下方に配置される壁領域１２は、場合によって図８に示すように、壁領域１２の上辺が複雑な形状となる場合がある。
なお、図８は、説明しやすいように極端な例を示したものである。
そこで、壁パネルの割り付けを容易なものとするために、上述のように壁領域１２の上辺が複雑な形状の場合には、上述のように分割された各壁線１０毎に生成された壁領域１２をさらに分割することになる。
【００４８】
まず、上記設計データファイル２ａから、一つの住宅に対して設定された各壁領域１２のデータを一つずつ順次読み込む（ステップＡ１）。
次に、読み込まれた一つの壁領域１２のデータにおいて壁領域１２上辺の角度が変わる点（変更点１７）を検索する（ステップＡ２）。そして、上記壁領域１２の上辺に変更点１７が有るか無いかを判定する（ステップＡ３）。
【００４９】
そして、変更点１７が無い場合には、ステップＡ７に進む。
また、図８に示すように、壁領域１２の上辺に角度の変わる変更点１７がある場合には、一つの変更点１７において、（図８の変更点１７ａのように）変更点１７を通る左右の上辺が、上に凸となる同一の勾配（方向は逆）か否かを判定する（ステップＡ４）。
【００５０】
そして、変更点１７の左右の上辺の傾斜が同一の勾配でない場合には、上記壁領域１２を上記変更点１７で垂直な分割線１８により分割する（ステップＡ５）。また、変更点１７の左右の上辺の傾斜が同一の勾配の場合には、上記変更点１７ａにおける分割を行わないものとし、ステップＡ６に進む。
【００５１】
すなわち、上記変更点１７ａが屋根の棟と一致する場合には、壁領域１２の分割を行なわない。そして、上記壁領域に上記処理をしていない残りの変更点１７が有るか否かを判定し（ステップＡ６）、更に変更点１７がある場合には、ステップＡ２に戻る。
残りの変更点１７が無い場合には、変更点１７の有無を判定していない残りの壁領域１２が有るか否かを判定する（ステップＡ７）。
そして、残りの壁領域１２が有る場合には、続けて変更点１７における壁領域１２の分割処理を行うためにステップＡ１に戻る。
また、残りの壁領域１２が無い場合には、形状による壁領域分割処理を終了する。
【００５２】
次に、図９に示すフローチャートを参照して上記マグサ配置位置生成について説明する。
まず、上記設計データファイル２ａに記憶された各壁領域１２のデータを順次読み込む（ステップＢ１）。なお、この際に、読み込まれる壁領域１２は、上記壁領域分割処理が行われた後の壁領域１２である。
【００５３】
次に、読み込まれた壁領域１２が直上壁線１０ｄ上に設定されたか否かを判定する（ステップＢ２）。そして、読み込まれた壁領域１２のデータにおいて、壁領域１２が直上壁線１０ｄ上のものでなければ、ステップＢ４に進む。また、上記壁領域１２が直上壁線１０ｄ上のものならば、図１０に示すように、壁領域１２の上端部に梁状のマグサ配置位置１９を生成する（ステップＢ３）。
なお、直上壁線１０ｄ上の壁領域１２は、部屋の区切りとなる壁が配置されない部分なので、マグサの下は、壁の無い全開口の開口領域１１となる。
【００５４】
次に、上記設計データファイル２ａに上記処理を行っていない残りの壁領域１２が有るか否かを判定する（ステップＢ４）。そして、未処理の壁領域１２が有る場合には、順次上記処理を行うためにステップＢ１に戻る。また、設計データファイル２ａの全ての壁領域１２について上記処理を行い残りの壁領域１２が無い場合には、マグサ配置位置生成処理を終了する。
【００５５】
次に、妻壁補強材位置生成処理について、図１１に示すフローチャートを参照して説明する。なお、上記妻壁の壁領域１２は、図１２に示すように上述のように屋根の妻面に沿った壁領域１２であり、その上部に屋根の棟を頂点とする三角形の小屋部分を有する。
また、妻壁を示す壁領域１２は、上記壁領域分割処理において変更点１７の左右の勾配が同一のために分割されずに、壁領域１２の上辺に変更点１７を有する壁領域１２である。
【００５６】
また、上記妻壁補強材は、妻壁の天井面に沿った位置に水平に配置される梁状の部材であり、妻壁を補強するとともに、天井用パネルを支持する天井支持材に接続されるものである。
まず、上記設計データファイル２ａから順次各壁領域１２のデータを読み込む（ステップＣ１）。
【００５７】
次に、読み込まれた壁領域１２のデータにおいて、壁領域１２の上辺に上記変更点１７があるか否かを判定する（ステップＣ２）。そして、壁領域１２の上辺に上記変更点１７が無い場合には、ステップＣ７に進む。また、壁領域１２の上辺に上記変更点１７が有る場合には、上記設計データファイル２ａに記憶された天井高さを読み込む（ステップＣ３）。
そして、上記壁領域の天井高さの位置に壁領域の左側縁から右側縁まで妻壁補強材位置２０を生成する（ステップＣ４）。
【００５８】
次に、設定された妻壁補強材位置２０の端点が、図１２に示すように屋根の傾斜面（壁領域１２の傾斜した上辺）と接するか否かを判定する（ステップＣ５）。そして、接していない場合には、ステップＣ７に進む。また、接している場合には、妻壁補強材位置２０の端点の位置が、上記壁領域１２に直交するグリッド線（グリッド線位置２１）からずれている可能性があるので、妻壁補強材位置２０の端点を距離ｌ１だけ後退させて端点と上記グリッド線の位置を一致させる（ステップＣ６）。
【００５９】
次に、上記処理を行っていない残りの壁領域１２が有るか否かを判定する（ステップＣ７）。そして、上記処理を行っていない残りの壁領域１２が有る場合には、続けて妻壁補強材位置生成処理を行うためにステップＣ１に戻る。また、残りの壁領域１２が無い場合には、妻壁補強材位置生成処理を終了する。
【００６０】
次に妻壁分割領域生成処理を、図１３に示すフローチャートを参照して説明する。
なお、妻壁分割領域生成処理は、上述のように小屋部分を有するために矩形状の壁領域１２に比較して、複雑な形状の壁領域１２における壁パネルの割り付けを容易にするために行われるものである。
まず、上記設計データファイル２ａから順次各壁領域１２のデータを読み込む（ステップＤ１）。
【００６１】
次に、読み込まれた壁領域１２のデータにおいて、壁領域１２の上辺に上記変更点１７があるか否かを判定する（ステップＤ２）。そして、壁領域１２の上辺に上記変更点１７が無い場合には、ステップＤ１０に進む。また、壁領域１２の上辺に上記変更点１７が有る場合には、図１４及び図１５に示すように、上記妻壁補強材位置生成処理により生成された妻壁補強材位置２０を読み込む（ステップＤ３）。
【００６２】
次に、上記妻壁補強材位置２０の端点が妻壁の壁領域１２の左右の側縁と接しているか否かを判定する（ステップＤ４）。そして、図１４に示すように、上記端点が妻壁の壁領域１２の左右の側縁と接していない場合には、接していない端点を分割点２２とする（ステップＤ５）。また、上記端点が妻壁の壁領域１２の左右の側縁と接している場合には、図１５に示すように上記妻壁補強材位置２０が屋根の傾斜面に接するかどうかを判定する（ステップＤ６）。
【００６３】
すなわち、上記妻壁補強材位置生成処理において、妻壁補強材位置２０の端点と屋根の斜面とが接するとともに、上記端点の位置が壁領域１２に直交するグリッド線と一致している場合には、妻壁補強材位置２０の端点が屋根の傾斜面に接した状態のままとなる。
【００６４】
そして、妻壁補強材位置２０が屋根の傾斜面に接している場合には、妻壁補強材位置２０の壁の厚みに基づく長さｌ２だけ上記端点から後方の位置を分割点２２とする（ステップＤ７）。また、妻壁補強材位置２０が屋根の傾斜面に接していない場合には、ステップＤ９に進む。
【００６５】
また、妻壁補強材位置２０において、分割点２２が設定されたものについては、分割点２２における垂線を分割線２３とし、該分割線２３により妻壁の壁領域１２を左右の分割壁領域１２ａ、１２ｂに分割する（ステップＤ８）。
また、左右に分割された分割壁領域１２ａ、１２ｂのうちの変更点１７を含む分割壁領域１２ｂと、左右に分割されていない妻壁の壁領域１２においては、妻壁補強材位置２０で上下の分割壁領域１２ｃ、１２ｄに分割する（ステップＤ９）。
【００６６】
次に、上記処理が行われていない残りの壁領域１２が設計データファイル２ａに有るか否かを判定する（ステップＤ１０）。そして、残りの壁領域１２が有る場合には、上記ステップＤ１に戻り上記処理を全ての壁領域１２で行うまで繰り返し行う。また、残りの壁領域１２が無い場合には、妻壁分割領域生成処理を終了する。
【００６７】
次に、妻壁補強材位置合成処理について図１６のフローチャートを参照して説明する。
妻壁補強材位置合成処理においては、まず、上記設計データファイル２ａから、一つの住宅に対して設定された各壁領域１２のデータを一つずつ順次読み込む（ステップＥ１）。
【００６８】
次に、読み込まれた壁領域１２に上記妻壁補強位置２０が生成されているか否かを判定する（ステップＥ２）。そして、妻壁補強材位置２０が無い場合には、ステップＥ８に進む。また、妻壁補強材位置２０が有る場合には、直線上で隣接する壁領域１２のデータを読み込む（ステップＥ３）。
【００６９】
次に、直線上で隣接する壁領域１２が有るか否か判定する（ステップＥ４）。そして、隣接する壁領域１２が無い場合には、ステップＥ８に進む。また、隣接する壁領域１２が有る場合には、次に、隣接する壁領域１２に妻壁補強材位置２０が生成されているか否かを判定する（ステップＥ５）。
【００７０】
そして、妻壁補強材位置２０が無い場合には、ステップＥ８に進む。また、妻壁補強材位置２０が有る場合には、最初の壁領域１２と該壁領域１２に隣接する壁領域１２の妻壁補強材位置２０が互いに一直線上で接触するか否かを判定する（ステップＥ６）そして、二つの妻壁補強材位置が接触していない場合には、ステップＥ８に進む。
【００７１】
また、二つの妻壁補強材位置２０が接触している場合には、二つの妻壁補強材位置２０を合成して、一つの妻壁補強材位置２０とする（ステップＥ７）。
次に、上記設計データファイル２ａに上記処理を行っていない残りの壁領域１２が有るか否かを判定する（ステップＥ８）。そして、未処理の壁領域１２が有る場合には、順次上記処理を行うためにステップＥ１に戻る。そして、設計データファイル２ａの全ての壁領域１２について上記処理を行い残りの壁領域１２が無い場合には、妻壁補強材位置合成処理を終了する。
【００７２】
次に、開口領域認識処理について図１７のフローチャートを参照して説明する。なお、上述のように設計データファイル２ａには、既に壁領域１２における開口領域１１の位置と形状が記憶されている。
そこで、まず、設計データファイル２ａから開口領域１１のデータを順次読み込む（ステップＦ１）。
【００７３】
なお、開口領域１１の種類には、図１８、図１９及び図２０に示すように、上記直上壁線１０ｄ上の開口領域１１のように上下に壁パネル（小壁パネル（小壁領域１４）及び腰壁パネル（腰壁領域１５））が全く配置されない（マグサが配置される）全開口の開口領域１１ａと、開口領域１１の上部に小壁パネル（小壁領域１４）が配置される半開口の開口領域１１ｂと、窓サッシ等の建具が填め込まれる建具開口の開口領域１１ｃとがある。
【００７４】
次に、上記開口領域の上述の種類を認識するために、上記開口領域の種類が直上壁線１０ｄ上の開口領域１１か否かを判定する（ステップＦ２）。そして、直上壁線１０ｄ上の開口領域１１の場合には、開口領域１１を全開口の開口領域１１ａとみなし（ステップＦ３）、ステップＦ１３に進む。
【００７５】
また、直上壁線１０ｄ上の開口領域１１ａでない場合には、開口領域１１に建具が設定されているか否かを判定する（ステップＦ４）。そして、建具が設定されていない場合には、開口領域１１を半開口の開口領域１１ｂとみなし（ステップＦ５）、ステップＦ９に進む。
また、建具が設定されている場合には、開口領域１１を建具開口の開口領域と１１ｃみなし（ステップＦ６）、次に、開口領域１１が、矩形か否かを判定する（ステップＦ７）。
【００７６】
なお、窓サッシの形状が特殊な場合などに、例えば、図２１に示すような矩形以外の開口領域１１ｄが形成される。そして、開口領域１１が矩形の場合には、ステップＦ９に進む。また、開口領域１１が矩形でない場合には、該開口領域
に外接する矩形領域を仮開口領域１１ｅとする（ステップＦ８）。
また、矩形以外の開口領域１１ｄに外接する仮開口領域１１ｅ内の開口領域１１ｄ以外の部分１１ｆは、現場で施工するものとする。
【００７７】
次に、上記開口領域１１を含む壁領域１２内に他の開口領域１１が有るか否かを判定する（ステップＦ９）。そして、他の開口領域が無い場合には、ステップＦ１３に進む。また、他の開口領域１１がある場合には、上記開口領域１１と他の開口領域１１との位置関係において、図２２に示すように開口領域１１同士の水平方向の座標位置が重なるか否かを判定する（ステップＦ１０）。
【００７８】
そして、他の開口領域１１の水平方向の座標位置が重ならない場合には、ステップＦ１３に進む。また、重なっている場合には、これら重なった開口領域１１、１１のうちの最も右側の開口の右辺と、最も左側の開口の左辺と、最も上側の開口の上辺と、最も下側の開口の下辺とに囲まれた領域を仮開口領域１１ｇとする（ステップＦ１１）。
【００７９】
また、図２３に示すように、該仮開口領域１１ｇ内の開口領域１１以外の部分を全て小壁領域１４ａ…とする（ステップＦ１２）。
次に、上記設計データファイル２ａに上記処理を行っていない残りの開口領域１１が有るか否かを判定する（ステップＦ１３）。そして、未処理の開口領域１１がある場合には、順次上記処理を行うためにステップＦ１に戻る。また、設計データファイル２ａの全ての開口領域１１について上記処理を行い残りの開口領域１１が無い場合には、開口領域認識処理を終了する。
【００８０】
次に開口調整領域生成処理について図２４のフローチャートを参照して説明する。なお、開口調整領域生成処理は、建具開口の開口領域１１ｃ及び半開口の開口領域１１ｂにおいて行われるものであり、上記開口領域認識処理において、全開口とされた開口領域１１ａは除かれる。
また、上記開口領域認識処理において、仮開口領域１１ｅ、１１ｇが設定された場合には、仮開口領域１１ｅ、１１ｇを開口領域１１として扱い、仮開口領域１１ｅ、１１ｇ内の開口領域１１においては、開口領域生成処理を行わない。
【００８１】
まず、上記設計データファイル２ａから順次各壁領域１２のデータを読み込む（ステップＧ１）。
次に、読み込まれた壁領域１２のデータに開口領域１１が有るか否かを判定する（ステップＧ２）。そして、壁領域１２に開口領域１１が無い場合には、ステップＧ１１に進む。また、開口領域１１が有る場合には、上記壁領域１２内の開口領域１１のデータを順次読み込む（ステップＧ３）。
【００８２】
次に、上記開口領域１１が、図２５及び図２６該開口領域１１を含む壁領域１２の左右どちらかの端部に有るものか否かを判定する（ステップＧ４）。そして、壁領域１２の端部の開口領域１１ではない場合には、ステップＧ９に進む。
また、壁領域１２の端部の開口領域１１の場合には、開口領域１１が支持柱（図示略）に隣接しているか否かを判定する（ステップＧ５）。
【００８３】
そして、開口領域１１が支持柱に隣接していない場合には、図２７に示すように開口領域１１の左右に所定幅の開口調整領域１３、１３を設定する（ステップＧ６）。なお、この開口調整領域１３、１３には、後述する小壁領域１４の小壁パネルを支持する支持部材が配置されるので、支持部材の基本的な幅を開口調整領域１３、１３の所定幅とする。また、後述するように支持部材の幅は状況により変更することができる。
【００８４】
また、開口調整領域１３、１３の上辺と下辺の高さは、開口領域１１の上辺と下辺の高さに合わせる。そして、開口領域１１が支持柱に隣接する場合には、次に、開口領域１１の幅が所定の幅以内か否かを判定する（ステップＧ７）。
なお、開口領域１１の幅が長いほど、開口領域１１上に配置される小壁パネルにかかる負荷が大きくなる。
【００８５】
そして、開口領域１１の幅が所定幅以内の場合には、図２６に示すように開口領域１１の支持柱の反対側の側面に接して一つの開口調整領域１３ａを設定する（ステップＧ８）。該開口調整領域１３ａは、予め設定された幅を有するとともに、下辺が開口領域１１の下辺の高さと一致し、上辺が壁領域１２の上辺の高さと一致するようにされている。
【００８６】
また、開口領域１１の幅が所定幅より大きい場合には、開口領域１１の支持柱の反対側の側縁に上述のように開口調整領域１３ｂ、１３ｃを形成するとともに、図２５に示すように上記開口調整領域１３ｂ，１３ｃを左右二つに二分割して二つの開口調整領域１３ｂ、１３ｃを生成する。また、開口領域１１側の分割された開口調整領域１３ｂの上辺を開口領域１１の上辺と同じ高さとする。
【００８７】
なお、上述のように開口調整領域１３ｂの高さを開口領域１１の上辺までとすることにより、開口領域１１上に配置される小壁領域１４の小壁パネルの一端を開口調整領域１３ｂに配置される支持部材が下から支持することになり、開口領域１１の幅が長いことにより負荷が大きくなった小壁パネル部分の強度を高めることができる。
【００８８】
そして、全ての開口領域１１に上記処理を行い残りの開口領域１１がまだ有るか否かを判定する（ステップＧ１０）。そして、残りの開口領域１１がある場合には、ステップＧ３に戻り上記処理を残りの開口領域１１がなくなるまで行う。
また、残りの開口領域１１が無くなった場合には、次の壁領域１２において同様の処理を行うために、上記処理を行っていない壁領域１１が有るか否かを判定する（ステップＧ１１）。そして、まだ、上記処理を行っていない壁領域１１が有る場合には、その壁領域１１で上記処理を行うためにステップＧ１に戻る。また、全ての壁領域１１で上記処理を行い、残りの壁領域１１が無い場合には、開口調整領域生成処理を終了する。
【００８９】
次に、開口調整領域調整処理について図２８のフローチャートを参照して説明する。なお、開口調整領域調整処理には、後処理があり、後処理については後述する。
また、上述のように住宅自体の設計は、上記グリッド線に沿って行われることになるが、建具のサイズは、必ずしも上記基準単位長さに基づいたものではないので、上記建具開口の開口領域１１ｃもグリッド線からずれたものとなる。
【００９０】
そして、開口領域１１がグリッド線からずれたまま設計の処理を進めた場合には、壁領域１１に壁パネルを割り付ける際にもずれが生じることになり、上記基準単位長さに基づいて製造されたパネルではなく、規格外のパネルを用いなければならなくなったり、ずれを修正する修正部材を現場施工等で配置する必要がでてくる。
【００９１】
そこで、この実施例においては、上記グリッド線に対するずれを開口調整領域１３、１３を用いて調整するようになっている。
まず、上述のように開口調整領域１３を生成された壁領域１２のデータを順次読み込む（ステップＨ１）。
【００９２】
次に、読み込まれた壁領域１２に開口調整領域１３が生成されているか否かを判定する（ステップＨ２）。そして、壁領域１２に開口調整領域１３が無い場合には、ステップＨ１４に進む。また、開口調整領域１３が有る場合には、次に、読み込まれた壁領域１２の左側の開口領域１１から順次、開口領域１１及び開口調整領域１３のデータを読み込む（ステップＨ３）。
【００９３】
次に、上記開口領域の左側の開口調整領域１３の左辺が壁領域１２に直交するグリッド線の位置と一致するか否かを判定する（ステップＨ４）。そして、一致する場合は、ステップＨ６に進む。また、一致しない場合には、上記左側の開口調整領域１３の左辺を左方にずらすことにより、開口調整領域１３の左辺とグリッド線とを一致させる（ステップＨ５）。
【００９４】
次に、上記開口領域１１の右側の開口調整領域１３の右辺が壁領域１２に直交するグリッド線の位置と一致するか否かを判定する（ステップＨ６）。そして、一致する場合は、ステップＨ１３に進む。ここで、基本的には、上記右側の開口調整領域１３の右辺を右方に移動することになるが、右辺を右に移動した場合に、上記開口領域１１の右側にある開口領域１１の開口調整領域１３に重複したり、壁領域１２の右側縁を越える可能性がある。
【００９５】
そこで、上記右辺が上記グリッド線の位置に一致しない場合には、上記右側の開口調整領域１３の更に右側に開口領域１１が有り、該開口領域１１の左側の開口調整領域１３の左辺を越えなければ、上記右辺をグリッド線に一致させることができないかどうかを判定する（ステップＨ７）。
【００９６】
そして、上記右辺をグリッド線に一致させると右側の開口領域１１の開口調整領域１３の左辺を越えてしまう場合には、上記右辺を右側の開口調整領域１３の左辺と一致させる（ステップＨ８）。
すなわち、上記右側の開口調整領域１３と該開口調整領域１３のさらに右側にある開口領域１１の左側の開口調整領域１３とを隣接して配置させる。
【００９７】
この場合には、開口調整領域１３同士の間に壁パネルが割り付けられることがないので、開口調整領域１３の側縁が壁領域１２に直交するグリッド線に一致しなくとも、基準単位長さに基づかない規定外の壁パネルが用いられることがない。
また、開口調整領域１３の長さにより小壁パネルの長さが決まり、開口調整領域１３の側縁が上記壁領域１２に直交するグリッド線と一致しない場合には、やはり、基準単位長さに基づかない規定外の小壁パネルが必要となるが、後述するように隣接する小壁領域１４、１４同士を合成することにより、規定外の小壁パネルを用いる可能性を最小限のものとすることができる。
【００９８】
そして、上述のように右側の開口調整領域１３の右辺を決定した場合には、さらに右側にある開口領域１１の左側の開口調整領域１３の左辺の位置も決定されてしまうので、後述するように、順次左側の開口領域１１から開口調整領域１３のデータを読み込み上記処理を行う際に、上記左辺の処理を必要としないので、次の右側の開口領域１１及び該開口領域１１の左右の開口調整領域１３、１３のデータを読み込む（ステップＨ９）ととともに、上記左辺の処理を飛ばして、ステップＨ６に進む。
【００９９】
また、上記ステップＨ７において、右側の開口調整領域１３の右辺がさらに右側の開口領域１１の開口調整領域１３の左辺を越えない場合には、次に、上記右側の開口調整領域１３の右辺が壁領域１２の右側縁を越えなければ、壁領域１２に直交するグリッド線と上記右辺を一致できないかどうかを判定する（ステップＨ１０）。
【０１００】
そして、上記右側の開口調整領域１３の右辺を右方に移動してグリッド線と一致させた場合に、上記右辺が壁領域の右側縁を越える場合には、上記右側の開口調整領域１３の右辺を壁領域１１の右側縁に一致させる（ステップＨ１１）。
この場合には、開口調整領域１３の右辺で壁領域１２が終わってしまうので、右辺とグリッド線が一致していなくとも壁領域１１内の壁パネルに上記規定外の壁パネルを用いる必要がない。
【０１０１】
また、上記右側の開口調整領域１３の右辺をグリッド線と一致するまで、移動しても壁領域１２の右側縁を越えない場合には、上記右辺を右方に移動して上記右辺とグリッド線とを一致させる（ステップＨ１２）。
以上のように処理した場合には、基本的に、図２９に示すように、開口領域１１の左側の開口調整領域の左辺がグリッド線（グリッド線位置２１）と一致し、右側の開口調整領域の右辺が同じくグリッド線（グリッド線位置２１）と一致することになり、開口領域１１の左右の壁領域内には、グリッド線からグリッド線までの距離（１／４Ｍの整数倍）が空き、また、開口領域とその左右の開口調整領域とを合わせた幅もグリッド線からグリッド線までの距離（１／４Ｍの整数倍）となる。
従って、壁パネル、小壁パネル、腰壁パネルの幅は、基本的に１／４Ｍの整数倍となる。
【０１０２】
そして、上記開口領域１１に対応する左右の開口調整領域１３、１３において上記処理を終了した場合には、上記開口領域１１の右側にさらに上記処理を行っていない残りの開口領域１１があるか否かを判定する（ステップＨ１３）。そして、残りの開口領域１１がある場合には、ステップＨ３に進む。また、残りの開口領域１１が無い場合には、次に上記処理を行っていない残りの壁領域１２が上記設計データファイル２ａにあるか否かを判定する（ステップＨ１４）。
そして、残りの壁領域がある場合には、ステップＨ１に進み、無い場合には、開口調整領域調整処理を終了する。
【０１０３】
次に、上記開口調整領域調整処理の後処理について、図３０のフローチャートを参照して説明する。なお、この後処理は、開口領域１１と該開口領域１１の左右に接する開口調整領域１３、１３の幅の和が、上記基準単位長さの１／４の奇数倍になるのをなるべく防止するためのものである。
また、開口領域１１と該開口領域１１の左右に接する開口調整領域の幅の和は、後述するように小壁領域１４及び腰壁領域１５の幅となる。
【０１０４】
また、上述のように上記グリッド線は、基準単位長さの１／４の間隔で引かれているので、該グリッド線の間隔毎にパネルの種類を設けた場合は、例えば、幅が、１／４Ｍ、１／２Ｍ、３／４Ｍ、１と１／４Ｍ…となるパネルを用意する必要があるが、これを１／２Ｍ毎にすれば、使用するパネルの種類を減らし、パネルの生産及びパネルを用いた住宅の施工の省力化を図ることができる。
【０１０５】
そこで、小壁領域１４及び腰壁領域１５の幅が１／２Ｍ毎になるようにすれば、小壁領域１４に割り付けられる小壁パネル及び腰壁領域１５に割り付けられる腰壁パネルにおいて省力化を図ることができる。
まず、壁領域１２のデータを順次読み込む（ステップＩ１）。次いで、開口領域１１及び該開口領域１１に対応する開口調整領域１３、１３のデータを読み込む（ステップＩ２）。
【０１０６】
次いで、開口領域１１の幅とその左右の開口調整領域１３、１３の幅との和が、上記基準単位長さの１／４の奇数倍となるか否かを判定する（ステップＩ３）。すなわち、１／４Ｍの奇数倍となっていれば、上記小壁パネル及び腰壁パネルの長さが、１／２Ｍの整数倍足す１／４Ｍとなり、上述のようにパネルの生産及び住宅の施工の省力化の妨げとなる。
【０１０７】
そして、上記幅の和が基準単位長さの１／４の奇数倍となっていなければ、小壁パネル及び腰壁パネルの幅は、１Ｍの整数倍もしくはこれに１／２Ｍを足したものとなるので、以下の処理を行わずに、ステップＩ８に進む。
また、上記幅の和が基準単位長さの奇数倍となっていた場合には、次に開口調整領域幅が１／４Ｍ以上となっているか否かを判定する（ステップＩ４）。
【０１０８】
もし、１／４Ｍより小さい場合には、開口調整領域１３により、１／４Ｍの長さを調整することができないので、ステップＩ８に進む。
また、開口調整領域１３の幅が１／４Ｍ以上の場合には、開口領域１１の左右両方の開口調整領域１３のうちの片側だけが、１／４Ｍ以上か否かを判定する（ステップＩ５）
【０１０９】
そして、片側の開口調整領域１３の幅だけが１／４Ｍ以上の場合には、図３１に示すように、１／４Ｍ以上の幅を有する開口調整領域１３の開口領域１１と反対側の側縁を基準単位長さの１／４だけ後退させて、開口調整領域１３の幅を縮める（ステップＩ６）。
【０１１０】
また、開口領域１１の左右の開口調整領域１３、１３の両方の幅が１／４Ｍ以上の場合には、左側の開口調整領域１３の幅を上述のように縮める（ステップＩ７）。
なお、両方の開口調整領域１３、１３の幅を１／４Ｍずつ縮めてしまうと、開口領域１１の幅と開口調整領域１３、１３の幅との和が再び１／４Ｍの奇数倍となってしまう。
【０１１１】
次に上記壁領域１２に上記処理を行っていない残りの開口領域１１があるか否かを判定する（ステップＩ８）。そして、残りの開口領域１１がある場合には、ステップＩ２に進む。また、残りの開口領域１１が無い場合には、次に上記処理を行っていない残りの壁領域１２が上記設計データファイル２ａに有るか否かを判定する（ステップＩ９）。
そして、残りの壁領域１２がある場合には、ステップＩ１に進み、無い場合には、開口調整領域調整後処理を終了する。
【０１１２】
次に、小壁、腰壁領域生成処理を図３２のフローチャートを参照して説明する。
まず、上記設計データファイル２ａから壁領域１２のデータを順次読み込む（ステップＩ１）。
次いで、開口領域１１及び該開口領域１１に対応する（左右に接する）開口調整領域１３、１３のデータを読み込む（ステップＩ２）。
【０１１３】
そして、小壁、腰壁領域１４、１５の幅は、図３３及び図３４に示すように開口領域１１の幅とその左右の開口調整領域１３、１３の幅とを合わせた長さとなり、小壁、腰壁領域１４、１５の右辺及び左辺は、右側の開口調整領域１３の右辺及び左側の開口調整領域１３の左辺と一致させる（ステップＪ３）。
【０１１４】
次に壁領域１２が、図３４に示すように上辺に斜辺を有する屋切りの領域か、図３３に示すように矩形状の領域かを判定する（ステップＪ４）。そして、壁領域１２が矩形の場合には、小壁領域１４の上辺の高さを、壁領域１２の高さとする（ステップＪ５）。また、壁領域１２が屋切りの場合には、予め設定された壁領域下辺から一枚目の壁パネルの高さを小壁領域１４の上辺の高さとする（ステップＪ６）。
【０１１５】
また、小壁領域１４の下辺の高さは、開口領域１１の上辺の高さと一致するものとされる（ステップＪ７）。また、腰壁領域１５の上辺の高さは、開口領域１１の下辺の高さと一致するものとされる（ステップＪ８）。さらに、腰壁領域１５の下辺の高さは、壁領域１２の下辺の高さと一致するものとされる（ステップＪ９）。
【０１１６】
次に上記壁領域１２に上記処理を行っていない残りの開口領域１１が有るか否かを判定する（ステップＪ１０）。そして、残りの開口領域１１がある場合には、ステップＪ２に進む。また、残りの開口領域１１が無い場合には、次に上記処理を行っていない残りの壁領域１２が上記設計データファイル２ａにあるか否かを判定する（ステップＪ１１）。
そして、残りの壁領域１２がある場合には、ステップＪ１に進み、無い場合には、小壁・腰壁領域生成処理を終了する。
【０１１７】
次に、上記小壁領域合成処理について図３５のフローチャートを参照して説明する。
まず、上述のように生成された小壁領域１４を含む壁領域１２のデータを読み込む（ステップＫ１）。次に、上記壁領域１２において、互いに隣接する小壁領域１４が有るか否かを判定する（ステップＫ２）。そして、隣接する小壁領域１４が無い場合には、ステップＫ９に進む。また、図３６及び図３７に示すように隣接する小壁領域１４が有る場合には、隣接する小壁領域１４のデータを読み込む（ステップＫ３）。
【０１１８】
また、データが読み込まれた隣接する小壁領域１４の下辺の高さを比較し、隣接する小壁領域１４、１４同士の下辺の高さが一致するか否かを判定する（ステップＫ４）。そして、図３７に示すように、小壁領域１４、１４同士の下辺の高さが一致しない場合には、まず、下辺の低い方の小壁領域１４をもう一方の小壁領域１４の下辺の高さで上下の小壁領域１４ａ、１４ｂに分割する（ステップＫ５）。
【０１１９】
次に、もう一方の小壁領域１４と分割された小壁領域１４の上方の小壁領域１４ａを一つの小壁領域１４に合成する（ステップＫ６）。
また、図３６に示すように、小壁領域１４、１４同士の下辺の高さが一致する場合には、二つの小壁領域１４、１４を一つの小壁領域１４に合成する（ステップＫ７）。
【０１２０】
次に、上記壁領域１２に上記処理を行っていない隣接する小壁領域１４が有るか否かを判定する（ステップＫ８）。そして、残りの隣接する小壁領域１４が有る場合には、ステップＫ３に進む。また、隣接する小壁領域１４が無い場合には、次に、上記設計データファイル２ａに上記処理を行っていない壁領域１２が有るか否かを判定する（ステップＫ９）。そして、残りの壁領域１２がある場合には、ステップＫ１に進む。また、残りの壁領域１２が無い場合には、小壁領域合成処理を終了する。
【０１２１】
次に、腰壁領域合成処理について図３８のフローチャートを参照して説明する。
まず、上述のように生成された腰壁領域１５を含む壁領域１２のデータを読み込む（ステップＬ１）。次に、上記壁領域１２において、互いに隣接する腰壁領域１５、１５が有るか否かを判定する（ステップＬ２）。そして、隣接する腰壁領域１５、１５が無い場合には、ステップＬ７に進む。また、図３６及び図３７に示すように、隣接する腰壁領域１５、    １５が有る場合には、隣接する腰壁領域１５、１５のデータを読み込む（ステップＬ３）。
【０１２２】
また、データが読み込まれた隣接する腰壁領域１５、１５の上辺の高さを比較し、隣接する腰壁領域１５、１５同士の上辺の高さが一致するか否かを判定する（ステップＬ４）。
そして、図３７に示すように腰壁領域１５、１５同士の上辺の高さが一致しない場合には、ステップＬ６に進む。また、図３６に示すように、腰壁領域１５、１５同士の上辺の高さが一致する場合には、二つの腰壁領域１５、１５を一つの腰壁領域に合成する（ステップＬ５）。
【０１２３】
次に、上記壁領域１２に上記処理を行っていない隣接する腰壁領域  １５が有るか否かを判定する（ステップＬ６）。そして、残りの隣接する腰壁領域がある場合には、ステップＬ３に進む。また、隣接する腰壁領域１５が無い場合には、次に、上記設計データファイル２ａに上記処理を行っていない残りの壁領域１２が有るか否かを判定する（ステップＬ７）。そして、残りの壁領域１２がある場合には、ステップＬ１に進む。また、残りの壁領域１２が無い場合には、腰壁領域合成処理を終了する。
【０１２４】
次に、小壁領域１４の延長について図３９のフローチャートを参照して説明する。
まず、設計データファイル２ａから壁領域１２のデータを順次読み込む（ステップＭ１）。次に、上述の支持柱に隣接する開口領域１１が有るか否かを判定する（ステップＭ２）。そして、支持柱に隣接する開口領域１１が無い場合には、ステップＭ６に進む。
【０１２５】
また、支持柱に隣接する開口領域１１が有る場合には、該開口領域１１のデータを読み込み、開口領域１１の幅が所定の長さ以上か否かを判定する（ステップＭ３）。なお、この所定の長さは、上記開口調整領域生成処理において用いられた支持柱に隣接する開口領域の所定の幅と等しいものである。
【０１２６】
そして、上記開口領域１１の幅が所定以下の場合は、ステップＭ５に進む。また、図４０に示すように、上記開口領域１１の幅が所定以上の場合には、小壁領域１４を壁領域１２から支持柱側に延出させる。
すなわち、支持柱の高さを縮めて、小壁領域１４に割り付けられる小壁パネルの一方の端部の下端を支持柱上に支持させることにより、単に支持柱の側面と小壁パネルの側面を接合した場合よりも高い強度を得ることができるようにする。
【０１２７】
なお、上記開口調整領域生成処理において、支持柱に隣接する開口領域１１の幅が所定以上の場合には、開口調整領域１３を二分割し、一方の開口調整領域１３ｂ上に小壁領域        １４を配置するようにしているので、上記小壁パネルは、一方の端部を支持柱上に支持され、他方の端部を開口調整領域１３ｂに割り付けられる支持部材上に支持され、充分な強度を有するものとすることができる。
【０１２８】
以上のように、この実施例の設計支援装置は、壁パネルを割り付けるべき壁領域１２において、壁パネルを割り付ける際に、壁の強度の確保及び生産性の向上を図ることができるように、上記壁領域１２を複数の分割領域に分割することができる。
【０１２９】
特に、壁領域１２の開口領域１１の左右に開口調整領域１３、１３を設け、上記開口領域１１及び開口調整領域１３、１３上に渡って小壁領域１４を設けるようにすることで、小壁領域１４の端部が開口調整領域１３、１３上に架かることになる。
従って、小壁領域１４に小壁パネルを割り付け、開口調整領域１３、１３に支持部材を割り付けるようにした場合に、単に小壁パネルの両側縁を開口領域１１の左右両サイドの壁パネルに接合した場合よりも、強固な構造とすることができる。
【０１３０】
すなわち、上述のように開口領域１１の周囲に開口調整領域１３、１３と小壁領域１４とを設けることにより、壁領域１２へ壁パネルを自動的に割り付ける際に、壁の開口部周囲において、壁の強度を確保することができる。
【０１３１】
また、建具が割り付けられる開口部においては、建具の形状が必ずしも、上記基準単位長さに基づいたものとならないが、上記開口調整領域１３、１３の幅を調整して、開口領域１１及び開口調整領域１３、１３を合わせた領域が、グリッド線間にちょうど納まるようにすることで、開口領域１１の左右両サイドにおいて、基準単位長さに基づいた壁パネルを用いることができ、また、基本的に小壁パネル及び、腰壁パネルもその幅が、上記基準単位長さに基づいたものを用いることができる。
【０１３２】
従って、壁パネルや小壁パネルや腰壁パネルを製造する際に、予め決められた規格外のパネルを生産する可能性が低く、パネルの生産性を向上することができる。
また、住宅の施工現場において、上記グリッド線に基づいていない部分を現場施工によりカバーしなければならなくなる可能性が低く、住宅の建築においても生産性を向上することができる。
なお、上記実施例において、フローチャートにより示された工程は、本発明の一例であって、上述のように開口調整領域及び小壁領域を壁領域上に生成できれば、工程の順番や、工程の内容を変更してもかまわない。
【０１３３】
【発明の効果】
以上詳細に説明したように、本発明の請求項１記載の設計支援装置によれば、上記調整領域生成手段が、上記設計データ記憶手段のデータを用いて、上記開口領域の左右の壁領域内に所定幅の開口調整領域を設定し、小壁領域生成手段が、上記開口領域とその左右の調整領域を一体に覆うように、壁領域内に小壁領域を設定する。
そして、上記小壁領域には、上記開口領域とその左右の調整領域を一体に覆う小壁パネル（小壁部材）が配置される。また、開口調整領域には、上記小壁パネルの両端部を支持する支持部材が配置されることになる。
【０１３４】
上述のように小壁パネルを開口領域より開口調整領域分だけ、左右に延出させ、小壁パネルの延出された端部を開口調整領域に配置される支持部材に下から支持させるようにすることで、その強度を高めることができ、比較的大きな外力がかかる外壁においては、好ましいパネルの割り付け配置となる。
【０１３５】
すなわち、上記設計支援装置によれば、壁の開口部周囲において、高い強度を有する壁パネルの割り付けが容易にできるように、壁領域内に各部材を配置する領域を自動的に設定することができる。
【０１３６】
また、上記調整領域調整手段が、開口調整領域の幅を延長して開口調整領域の外側の側縁を上記壁領域に直交する上記グリッド線上に配置するようになっている。
上述のようにすることで、開口領域と該開口領域の左右両側の開口調整領域とを合わせた領域の配置が、上記壁領域に直交する二つのグリッド線の間となる。また、開口領域と該開口領域の左右両側の開口調整領域との上に配置される小壁領域も上記二つのグリッド線の間に納まることになる。
【０１３７】
従って、これら開口領域と開口調整領域と小壁領域との左右両側に壁パネルを配置する場合には、壁パネルの側縁を壁領域に直交するグリッド線上に配置することができ、上述のように両側縁が上記壁領域に直交するグリッド線上に配置することが可能な形状の壁パネルを使用することができる。また、小壁に配置される小壁パネルも同様に両側縁が上記壁領域に直交するグリッド線上に配置されることになる。
【０１３８】
従って、開口部の大きさ（上記建具の大きさ）によって、異なった幅の壁パネルや小壁パネルを必要とせず、使用される壁パネルや小壁パネルは、基準単位長さの整数倍の長さのものを用いることができ、パネルの生産性及びパネルを用いた住宅の生産性を向上することができる。
【図面の簡単な説明】
【図１】本発明の設計支援装置を説明するためのブロック図である。
【図２】本発明の一実施例の設計支援装置を説明するためのブロック図である。
【図３】上記実施例の設計支援装置に記憶された壁線の配置及び壁線の種類を説明するための図面である。
【図４】上記設計支援装置による壁領域内の分割領域を説明するための図面である。
【図５】上記設計支援装置による壁領域内の分割領域を説明するための図面である。
【図６】上記設計支援装置による壁領域の分割方法の概略を説明するためのフローチャートである。
【図７】上記設計支援装置による壁領域分割処理を説明するためのフローチャートである。
【図８】上記設計支援装置による壁領域分割処理を説明するための図面である。
【図９】上記設計支援装置によるマグサ配置位置生成処理を説明するためのフローチャートである。
【図１０】上記設計支援装置によるマグサ配置位置生成処理を説明するための図面である。
【図１１】上記設計支援装置による妻壁補強材位置生成処理を説明するためのフローチャートである。
【図１２】上記設計支援装置による妻壁補強材位置生成処理を説明するための図面である。
【図１３】上記設計支援装置による妻壁分割領域生成処理を説明するためのフローチャートである。
【図１４】上記設計支援装置による妻壁補強材位置生成処理を説明するための図面である。
【図１５】上記設計支援装置による妻壁補強材位置生成処理を説明するための図面である。
【図１６】上記設計支援装置による妻壁補強材位置合成処理を説明するためのフローチャートである。
【図１７】上記設計支援装置による開口領域認識処理を説明するためのフローチャートである。
【図１８】上記設計支援装置による開口領域認識処理を説明するための図面である。
【図１９】上記設計支援装置による開口領域認識処理を説明するための図面である。
【図２０】上記設計支援装置による開口領域認識処理を説明するための図面である。
【図２１】上記設計支援装置による開口領域認識処理を説明するための図面である。
【図２２】上記設計支援装置による開口領域認識処理を説明するための図面である。
【図２３】上記設計支援装置による開口領域認識処理を説明するための図面である。
【図２４】上記設計支援装置による開口調整領域生成処理を説明するためのフローチャートである。
【図２５】上記設計支援装置による開口調整領域生成処理を説明するための図面である。
【図２６】上記設計支援装置による開口調整領域生成処理を説明するための図面である。
【図２７】上記設計支援装置による開口調整領域生成処理を説明するための図面である。
【図２８】上記設計支援装置による開口調整領域調整処理を説明するためのフローチャートである。
【図２９】上記設計支援装置による開口調整領域調整処理を説明するための図面である。
【図３０】上記設計支援装置による開口調整領域調整後処理を説明するためのフローチャートである。
【図３１】上記設計支援装置による開口調整領域調整後処理を説明するための図面である。
【図３２】上記設計支援装置による小壁・腰壁領域生成処理を説明するためのフローチャートである。
【図３３】上記設計支援装置による小壁・腰壁領域生成処理を説明するための図面である。
【図３４】上記設計支援装置による小壁・腰壁領域生成処理を説明するための図面である。
【図３５】上記設計支援装置による小壁領域合成処理を説明するためのフローチャートである。
【図３６】上記設計支援装置による小壁領域合成処理を説明するための図面である。
【図３７】上記設計支援装置による小壁領域合成処理を説明するための図面である。
【図３８】上記設計支援装置による腰壁領域合成処理を説明するためのフローチャートである。
【図３９】上記設計支援装置による小壁領域延長処理を説明するためのフローチャートである。
【図４０】上記設計支援装置による小壁領域延長処理を説明するための図面である。
【符号の説明】
１        演算処理装置（調整領域生成手段ｂ、小壁領域生成手段ｃ、調整領域調整手段ｄ）
２        記憶装置（設計データ記憶手段ａ）
２ａ      設計データファイル
１１      開口領域
１２      壁領域
１４      小壁領域
【図１】
0003647486.tif 000002
【図２】
0003647486.tif 000003
【図３】
0003647486.tif 000004
【図４】
0003647486.tif 000005
【図５】
0003647486.tif 000006
【図６】
0003647486.tif 000007
【図７】
0003647486.tif 000008
【図８】
0003647486.tif 000009
【図９】
0003647486.tif 000010
【図１０】
0003647486.tif 000011
【図１１】
0003647486.tif 000012
【図１２】
0003647486.tif 000013
【図１３】
0003647486.tif 000014
【図１４】
0003647486.tif 000015
【図１５】
0003647486.tif 000016
【図１６】
0003647486.tif 000017
【図１７】
0003647486.tif 000018
【図１８】
0003647486.tif 000019
【図１９】
0003647486.tif 000020
【図２０】
0003647486.tif 000021
【図２１】
0003647486.tif 000022
【図２２】
0003647486.tif 000023
【図２３】
0003647486.tif 000024
【図２４】
0003647486.tif 000025
【図２５】
0003647486.tif 000026
【図２６】
0003647486.tif 000027
【図２７】
0003647486.tif 000028
【図２８】
0003647486.tif 000029
【図２９】
0003647486.tif 000030
【図３０】
0003647486.tif 000031
【図３１】
0003647486.tif 000032
【図３２】
0003647486.tif 000033
【図３３】
0003647486.tif 000034
【図３４】
0003647486.tif 000035
【図３５】
0003647486.tif 000036
【図３６】
0003647486.tif 000037
【図３７】
0003647486.tif 000038
【図３８】
0003647486.tif 000039
【図３９】
0003647486.tif 000040
【図４０】
0003647486.tif 000041